(57)【要約】【課題】本願発明は屋内空間部の側面に沿って、又は天井面に沿って防球用等のネットの取り付けの作業が容易であり、空間部の形状に応じて自在に防球用等のネットを吊り張りでき、且つネット体の取り付け作業、及びメンテナンス作業が安全に及び容易に行うことができる屋内空間部用のネット、及び該屋内空間部用のネットの吊り張り方法を提供することを課題とする。【解決手段】屋内空間部の側面又は天井面に沿って吊り張りされる防球用等としてのネット体と、ネット体の一方の端部又はネット体の全面に設けられた側面又は天井面との取り付けを行う取付具とから構成されている屋内空間部用のネットにおいて、前記取付具が、ネット体の一方端部又はネット体の全面に沿って所望の間隔を有して取り付けられたネット付設体を介して設けられ、且つ該ネット付設体が、複数個に分割された棒状体と隣り合う棒状体間を連結する紐状の横架具とから構成されていることである。【選択図】図１
2019058646.tif 000002
【特許請求の範囲】
【請求項１】
屋内空間部の側面に沿って又は天井面に沿って吊り張りされる防球・防護を目的とするネット体と、該ネット体の端辺側又はネット体全面に渡って所望の間隔を有して複数個設けられ、且つ側面又は天井面の梁等への取り付けを行う取付具とから構成されている屋内空間部用のネットにおいて、前記取付具が、ネット体の少なくとも一方の端辺側に沿って、又はネット体の全面に渡って所望の間隔を有して複数個取り付けられたネット付設体を介して設けられ、且つ前記ネット付設体が、少なくとも２以上に分割された長尺状の棒状体と隣り合う棒状体間をそれぞれ連結する紐状の架渡具とから構成されていることを特徴とする屋内空間部用のネット。
【請求項２】
前記取付具の前記棒状体への取り付けが、上下方向又は左右方向へ調整可能に構成されていることを特徴とする請求項１に記載の屋内空間部用のネット。
【請求項３】
屋内空間部の側面の形状に応じて又は天井面の形状に応じて、１枚又は複数枚のネット本体でネット体を形成し、該ネット体の一方の端辺側又はネット体の全面に渡って取付具を取り付け後、該取付具を側面又は天井面の梁等に取り付けることで、ネット体を側面又は天井面に沿って吊り張りする屋内空間部用のネットの吊り張り方法において、前記ネット体の少なくとも一方の端辺側に沿って、又はネット体の全面に渡って所望の間隔を有して前記取付具の設けられたネット付設体を取り付けた後、前記取付具の左右方向、上下方向の長さを調整しながら側面又は天井面に渡って取り付けることで、側面に沿って、又は天井面に渡ってネット体を吊り張りすることを特徴とする屋内空間部用のネットの吊り張り方法。
【発明の詳細な説明】
【技術分野】
【０００１】本願発明は、各種スポーツの練習用、又は試合用として使用する屋内空間部、又は災害避難所において、防球用（間仕切り用）、又は防護用としてその空間部の側面に沿って又は天井面に沿って吊り張りする屋内空間部用のネット、及び該屋内空間部用のネットの吊り張り方法に関する。
【背景技術】
【０００２】従来、屋内空間部の側面（本願発明において側面とは、屋内空間部の側壁面であり、天井面を中心に天井用ネットを吊り張りする以外の側壁面の上面側の傾斜面をも含む面の総称として記載する）に沿って、防球用として使用する側面用ネットは、側面形状に応じて１枚又は複数枚のネット本体を組み合わせて形成されたネット体と、該ネット体の上端辺に沿って取り付けられ、側面の両端側で固定されたロープ体（本願発明においてロープ体とはワイヤロープ、その他ロープの総称として用いる）とから構成され、ネット体を側面に沿って吊り張りする場合は、前記ロープ体を側面に吊り張りし、該ロープ体にネット体の上端辺を連結することでネット体を側面に沿って吊り張りする。【０００３】上記工程を側面毎に繰り返すことで屋内空間部の側面全体に渡って固定用の側面用ネットを吊り張りする。【０００４】前記側面用ネットは、側面の形状が変形（側面上部側が傾斜、又は円弧状）している場合は、天井上面に沿って別体の上部用のネット体を吊り張りし、該上部用のネット体の下部側に沿って水平方向にネット体を上記のように吊り張りすることで変形面に沿ってネット体を吊り張りする。【０００５】また、屋内空間部の天井面に沿って、防球用（又は防護用）として使用するネット体は、天井面に沿って形成されたネット体と、該ネット体の全面に沿って取り付けた取付体とから構成され、前記取付体を天井面の梁に直接又は間接的に取り付けることで、天井面に沿ってネット体を吊り張りする。
【発明が解決しようとする課題】
【０００６】しかしながら、上記従来の屋内空間部用のネットは、ネット体の上端辺に別体のロープを介して連結しているために、面積の狭いネット体を水平方向に吊り張りする場合は、容易に対応することができるが、近年多く建設されている大空間部を有する屋内空間部では、天井面が円弧状であるために、ネット体の上端側も水平方向に限定されないので、複数枚のネット体を用いなければ適切にネット体を吊り張りすることができないという欠点があった。
【０００７】また、従来のロープ体はネット体の上端辺に沿って予め１本で形成するために、ネット体の面積が大きい場合は、ネット体の荷重等によりネット体の上端辺に多くの付加がかかり、ロープ体のみでは適切にネット体を形成できず、その取り扱いが不便であった。
【０００８】また、天井面に沿ってネット体を吊り張りする場合は、天井面の梁、又は仮天井板を取り付ける連結棒に取付具を取り付けるために、梁又は連結棒のない部分ではネット体と天井面との連結できないという欠点があった。
【０００９】さらに、従来のロープ体は水平状態を適切に維持できないために、側面、又は天井面との連結部分において、屋内空間部の形状に応じて適切に調整できないという欠点があった。
【００１０】そこで、本発明は屋内空間部の側面に沿って、又は天井面に沿って防球用等のネットの取り付けの作業が容易であり、空間部の形状、及び面積に応じて自在に防球用等のネットを吊り張りでき、且つネット体の取り付け作業、及びメンテナンス作業が安全に且つ容易に行うことができる屋内空間部用のネット、及び該屋内空間部用のネットの吊り張り方法を提供することを課題とする。
【課題を解決するための手段】
【００１１】本願発明の上記課題を解決する手段としての屋内空間部用のネットは、請求項１に記載のように、屋内空間部の側面に沿って又は天井面に沿って、吊り張りされる防球・防護を目的とするネット体と、該ネット体の一方の端辺側、又はネット体前面に渡って所望の間隔を有して複数個設けられ、且つ側面又は天井面の梁等への取り付けを行う取付具とから構成されている屋内空間部用のネットにおいて、前記取付具が、ネット体の少なくとも一方の端辺側に沿って、又はネット体の全面に渡って所望の間隔を有して複数個取り付けられたネット付設体を介して設けられ、且つ該ネット付設体が、少なくとも２以上に分割された長尺状の棒状体と、隣り合う棒状体間をそれぞれ連結する紐状の架渡具とから構成されていることを特徴とする。
【００１２】また、本願発明の上記課題を解決する手段としての屋内空間部用のネットは、請求項２に記載のように、請求項１において、前記取付具の棒状体への取り付けが、上下方向又は左右方向へ調整可能に構成されていることである。
【００１３】さらに、本願発明の上記課題を解決する手段としての屋内空間部用のネットの吊り張り方法は、請求項３に記載のように、屋内空間部の側面の形状に応じて又は天井面の形状に応じて、１枚又は複数枚のネット本体でネット体を形成し、該ネット体の一方の端辺側又はネット体の全面に渡って取付具を取り付けた後、該取付具を側面又は天井面の梁等に取り付けることで、ネット体を側面又は天井面に沿って吊り張りする屋内空間部用のネットの吊り張り方法において、前記ネット体の一方の端辺側に沿って、又はネット体の全面に沿って所望の間隔を有して前記取付具の設けられたネット付設体を取り付けた後、前記取付具の左右方向、上下方向の長さを調整しながら側面又は天井面に渡ってネット体を吊り張りすることを特徴とする。
【発明の作用効果】
【００１４】次に、本願発明の請求項１乃至至請求項３に記載の屋内空間部用のネット、及び屋内空間部用のネットの吊り張り方法の作用効果を説明する。
【００１５】先ず、請求項１に記載の屋内空間部用のネットは、屋内空間部の各側面形状又は天井面全体の形状に応じて同形状に形成されたネット体と、該ネット体の少なくとも上方側の上部辺側に沿って、又はネット体の全面に沿って所望の間隔を有して取り付けられたネット付設体とから構成されている。
【００１６】前記ネット付設体は、側面用のネットの場合は、ネット体の上端辺、又は上端辺と左右両端辺に沿って取り付け、天井面用のネットの場合は、ネット体の全面に渡って所望の方向及び間隔で複数個取り付ける。
【００１７】前記ネット付設体は、所望の長さに形成された複数本の棒状体と、隣り合う棒状体間をそれぞれ連結する紐状の架渡具とから構成されているために、付設具間の距離を架渡具の長さの範囲内で自在に調整することができ、屋内空間部の側面に凹凸形状がある場合でも、その形状に応じて架渡具を自在に対応し棒状体を直線状に維持でき、また、空間部の上端側が円弧状の場合であっても、棒状体をその円弧面に沿って位置させて対応することができる。
【００１８】また、側面用のネットの側面側に沿ってネット付設体を取り付けることで、ネット体を適切に広げた状態で側面に沿って吊り張りすることができる。
【００１９】同様に、架渡具を左右方向、上下方向に調整することで、天井面の梁の距離間に応じて棒状体を適切に位置させ、又は梁の形状に応じて棒状体を適切に位置さることができる。
【００２０】このため、ネット体の上端側は屋内空間部の側面上部側の形状に応じて、又は天井面の梁の間隔に応じて棒状体間の距離間を自在に調整して自在に側面の上端側を調整することができる。
【００２１】その後、前記ネット付設体を介して取り付けられた取付具を側面上部側に取り付けることで側面に沿ってネット体を適切に吊り張りし、又は前記取付具を天井面の梁に沿って取り付けることで、天井面に沿ってネット体を適正に吊り張りすることができる。
【００２２】また、各棒状体の長さを予め設定（主に長尺状）することで、少ない本数で形成し、上端側が水平である場合に適切に水平状態でネット体を容易に吊り張りすることができる。
【００２３】このように、本願発明の屋内空間部用の防球用等のネットは、屋内空間部の側面、又は天井面の形状に応じて自在にネット体を吊り張りすることができ、その吊り張りを容易に行うことができる。
【００２４】次に、請求項２に記載の屋内空間部用のネットは、上記請求項１の構成にさらに、前記ネット付設体への取付具の取り付けが、上下方向、左右方向に調整できるので、側面、又は天井面との左右方向、上下方向を自在に調整し、側面の形状に応じて、又は天井面の形状に応じて適切に吊り張りすることができる。
【００２５】次に、請求項３に記載の屋内空間部用のネットの吊り張り方法について説明する。
【００２６】先ず、最初の工程（ネット体の形成）は、屋内空間部の側面又は天井面の形状に応じて左右方向、又は上下方向に沿って１枚又は複数枚のネット本体を組み合わせてネット体を形成、又は連続して複数枚のネット体を連結することで、形状に応じたネット体を形成する。
【００２７】このため、側面の形状に応じて複数枚のネット本体で形成された一枚の大面積のネット体で形成、又は複数枚のネット体を連結することで大面積のネット体を形成することができ、防球用、間仕切り用、又は防護用として、目的（球技の種類、試合用、練習用等）に応じて自在に適切なネット体を選択できる。
【００２８】次の工程（ネット体の形状に応じての調整）は、側面用のネット体少なくとも１以上の端部辺に沿ってネット付設体を取り付け、又は天井用のネット体の全面に渡って所望の間隔を有して複数本のネット付設体を取り付ける。
【００２９】前記側面用のネット体の場合は、ネット体の上端辺のみ、上端辺と側端辺、又は上下端辺と左右両側端辺等を上記目的に応じて選択し、天井面用のネット体の場合は、ネット体の全面に平行状態に複数本、又は交差状態に複数本等を上記目的に応じて選択する。
【００３０】前記ネット付設体は、複数本の棒状体と隣り合う棒状体間を連結する紐状の架渡具とから構成され、側面の上端辺の形状、又は天井面の傾斜角度等に応じて棒状体間を自在に調整することができるために、ネット体の上端辺を適切に広げた状態に、又は天井用の梁に対応するように広げた状態とすることができる。
【００３１】最終工程（ネット体の吊り張り工程）は、別体の移動用ロープ（天井面側の滑車を介して、ウインチで直接）を前記ネット付設体に連結した後、前記移動用ロープを上方側に移動し、前記ネット付設体に取り付けられた取付具を側面又は天井面の梁に沿って取り付ける。
【００３２】この際、前記取付具はネット付設体に沿って左右方向に調整しながら、且つ天井面との上下方向を調整することで、最適にネット体を吊り張りすることができる。
【００３３】このように、本願発明の屋内空間部用のネットは、屋内空間部の形状に応じて自在にネット体を吊り張りすることができ、しかもその取り付け作業を容易に行うことができる。
【００３４】また、ネット付設体がネット体の吊り張り作業時において、邪魔になることなく、最適に防球・防護を目的とするネットを吊り張りする。
【発明を実施するための最良の形態】
【００３５】本願発明の屋内空間部用のネット、及び屋内空間部用のネットの吊り張り方法について図面を用いて説明する。【００３６】図１は本願発明の屋内空間部用のネットを側面に使用する場合の一実施例を示す概略説明正面図であり、図２はネット体とネット付設体との連結の一実施例を示す概略説明側面断面図であり、図３はネット付設体を示す概略説明正面断面図であり、図４は屋内空間部用のネットの水平方向の吊り張り状態を示す概略説明正面図であり、図５は屋内空間部用のネットの円弧面に沿っての吊り張り状態を示す概略説明正面図であり、図６はネット体とネット付設体との連結の他実施例を示す概略説明側面断面図であり、図７は棒状体への取付具の連結を示す概略説明平面図であり、図８は棒状体への取付具の連結の他実施例を示す概略説明平面図であり、図９は本願発明の屋内空間部用のネットを天井面に使用する場合の一実施例を示す概略説明正面図であり、図１０は図９のネット付設体を用いた天井面への取り付けを示す概略説明側面図である。【００３７】図１１、図１２、図１３、及び図１４は屋内空間部用のネットの吊り張り方法を示すフローチャートである。
【実施例１】
【００３８】本願発明の屋内空間部の側面に沿って使用する防球用（間仕切り用、又は防護用）を目的とする屋内空間部用のネット１は、前記屋内空間部の側面の形状に応じて形成されたネット体４と、該ネット体４の少なくとも上端辺に沿って固定状態で連結されたネット付設体５とから構成されている。【００３９】前記ネット体４は、屋内空間部の形状に応じて左右方向、上下方向、又は斜め方向に沿って複数枚のネット本体２を組み合わせて（繋ぎ合わせて）形成され、且つ上下の対向辺方向及び左右の対向辺方向に沿ってネット体４の形状を維持するための補強用ロープ３が取り付けら（組み込まれ）ている。【００４０】尚、前記ネット体４の形成方法は、上記のように側面側の形状に応じて、複数枚のネット本体２を組み合わせて１枚で形成したが、本願発明において、ネット体４の形成方法はこれに限定されるものでなく、例えば、屋内空間部の側面側の横方向の面積が大きい場合は、前記のように形成されたネット体４を複数枚横方向に、又側面側の縦方向の面積が大きい場合は、上下方向に連続して連結することで、側面の形状に応じて形成することも可能である。【００４１】前記ネット体４の上端辺側に取り付けられたネット付設体５は、ネット体４の上端辺に沿って所望の長さを有する複数本の短形状の棒状体６と隣り合う棒状体６間に連結した紐状の架渡具７とから構成されている。【００４２】前記棒状体６はネット体４の上端辺を挟むように所望の間隔を有して取り付けることで、前記架渡具７により隣合う棒状体７間の長さ調整をおこないネット体４の上端辺の長さ調整行い取り付け面に沿って取り付けできる。【００４３】前記架渡具７は、棒状体６間をそれぞれ別体として連結したが、本願発明において、架渡具７の構成はこれに限定されるものでなく、それぞれの棒状体６の中心軸を挿通した１本の紐状の架渡具７で構成することも可能である。この場合も同様に棒状体６間を自在に調整することができる。【００４４】前記棒状体６は、上記のようにネット体４の上端辺に沿って複数本に分割した棒状体６を連結することに限定されるものでなく、２本の長尺状の棒状体６をネット体４の上端辺に連結することも可能であり、また１本の棒状体６でネット体４の上端辺全てを連結するも可能である。要は、ネット体４の面積が大きく上端辺が水平方向に吊り張りする場合は、棒状体を長尺状に形成し、ネット体４の荷重等を分散して吊り張りし、上端側を円弧面に沿って吊り張りする場合は、棒状体６を複数本の短形状に形成し、各棒状体６を円弧面に沿って円弧状に位置させて適切にネット体４を吊り張りする。【００４５】尚、上記棒状体６のネット体４の上端辺への取り付けは上記のように直接ネット体４を挟むように連結することに限定されるものでなく、ネット体４の上端辺と棒状体６とを別体の紐状の吊下体１０で間接的に連結することも可能である。この場合は、円弧状の面に沿ってネット体４を取り付けるとネット体４と棒状体６との間を利用し、余裕を持ってネット体４を吊り張りすることができる。【００４６】前記ネット付設体５を形成する複数本の棒状体６には、それぞれ天井面、及び側面に固定する取付具８が設けられている。【００４７】前記取付具８は棒状体６と天井面、又は側面との距離を調整する紐状の調整部８Ａと、該調整部８Ａの端部で天井面又は側面に固定する固定部８Ｂとから構成されている。【００４８】前記調整部８Ａには、棒状体６に沿って長尺方向に沿って移動可能で所望の位置で棒状体６に固定できる構成と、上下方向、又は左右方向にその長さ調整可能な構成とを有する調整部８Ａとが存在する。【００４９】前記移動可能な調整部８Ａは、棒状体６にリング環等８Ｃで移動自在とし、螺子等でその移動位置を固定する構成である。【００５０】前記上下方向、又は左右方向への長さ調整可能な調整部８Ａは、棒状体６に移動自在挿通し、所望の位置にストッパー体８Ｄを設ける構成、又は棒状体６に弾性体８Ｅを介して連結する構成である。【００５１】前記棒状体６の設けられる取付具８の本数、及び調整部８Ａの選択は、ネット体４の設置面の形状に応じて自在に選択可能である。【００５２】さらに、前記ネット付設体５部分には、飛来する各種スポーツの球が直接当接するのを防止するための防護用ネット体１５を天井面より吊り下げることも可能である。この場合、ネット付設体５と防護用ネット体１５とは所望の間隔を有することで、防護効果をさらに高めることができる。【００５３】本願発明の屋内空間部用のネット１は上記のように構成され、次に、該屋内空間部用のネット１を屋内空間部の側面に沿って吊り張りする場合について説明する。【００５４】先ず、屋内空間部の側面の形状と略同形状に形成する為に１枚又は複数枚のネット本体２を左右方向、又は上下方向等の所望の方向に組み合わせた後、その各端部辺（左右端辺、及び上下端辺）に沿ってそれぞれ補強用ロープ３を取り付けることで側面形状を適切に維持した状態でネット体４を形成する。（ネット体４の形成工程）【００５５】その後、前記ネット体４の上端辺に沿って所望の本数で形成された複数本の棒状体６を所望の間隔を有して前記ネット体４を挟むように取り付けるとともに、隣り合う棒状体６間をそれぞれ架渡具７で連結することで、隣合う棒状体６間を自在に調整できるようにネット付設体５を取り付ける。【００５６】この際、前記ネット付設体５を形成する各棒状体６の長さ調整下記の基準で行う。即ち、ネット体４の面積が大きく、且つネット体４の取り付け面が水平方向である場合は、水平方向を維持し、ネット体４の上端辺の弛み等を少なくするために、長尺状の棒状体６を利用し、少ない本数でネット体４を吊り張りでき、しかも水平状態を安定的に維持することができる。また、側面上部面の取り付け面が傾斜角度を有する斜面、又は円弧状の面である場合は、その傾斜面、又は円弧面に沿って適切に各棒状体６が位置するように複数本の短形状の棒状体６を用いることで、各棒状体６の隣合う間を調整しながらネット体４を吊り張りすることができる。【００５７】次に、前記ネット付設体５を形成する任意の棒状体６にネット体４を吊り張りする両側面側、又は天井面側への取り付けを行うための取付具８を取り付ける。実施例では、１本の棒状体６に２個の取付具８を取り付けて構成されている。【００５８】本実施例では、天井面が水平状態であるために、前記取付具８は棒状体６の長尺方向に沿って移動可能な調整部８Ａを選択して取り付ける。【００５９】尚、天井面が円弧状である場合は、１個の取付具８は棒状体６の長尺方向に沿って移動自在な調整部８Ａを選択して取り付けることで、天井面での固定位置を調整でき、他の取付具８は上下方向に調整可能な調整部８Ａを選択するｋとで、円弧面に沿って上下方向の長さ調整を行い棒状体６を適切な方向に設ける。【００６０】その後、前記調整部８Ａの先端側に設けられた固定部８Ｂを用いて天井面、又は側面に固定する。【００６１】前記固定部８Ｂは、例えば、Ｈ鋼の場合は、板状のネット押さ体で形成し、調整部８Ａを挟んで状態でＨ鋼に固定する。【００６２】これにより、側面に沿ってネット体４を吊り張りする。【００６３】この場合、前記棒状体６間は架渡具７で余裕を持って連結されているために、ネット体４の上端辺が余裕を持って取り付けられることとなり、全面に沿って固定した従来に比しネット体４の摩耗等が少なくメンテナンス作業を頻繁に行うことがない。【００６４】また、天井面が円弧状である場合は、円弧面に沿って各棒状体６の間が狭められるように調整され、円弧面に沿って適切に広げた状態でネット体４を吊り張りすることができる。【００６５】これにより、側面用の防球用のネット１を適切に屋内空間部の側面に沿って吊り張りすることができる。【００６６】このように、本願発明の屋内空間部用のネット１はスムーズに屋内空間部に吊り張りすることができ、またあらゆる空間部用の形状に応じて自在に吊り張りすることができる。【００６７】また、ネット体４の取り付け面に応じて自在に棒状体６間を調整して吊り張りすることができる。【００６８】また、メンテナンス作業又は不使用時において、ネット体４の上端側のみそのまま固定した状態で、左右側面又は下端辺部分の固定を解除することで、ネット体４の下端側を畳ながら上端側に移動して収納することができる。
【実施例２】
【００６９】次に、本願発明の屋内空間部用のネット１を屋内空間部の天井面に沿って取り付ける場合について説明する。【００７０】天井用として使用する屋内空間部用のネット１は、天井面を被覆すべく同形状に応じて形成されたネット体４と、該ネット体４の一方向に沿って、所望の間隔を有して全面に渡って直線状に取り付けられた複数本のネット付設体５とから構成されている。【００７１】前記ネット付設体５のネット体４への取り付けは、前記ネット体４の対向する両端辺の補強用ロープ３を利用して両端側をそれぞれ取り付け、前記ネット体４の面部分はネット本体２に直接、又はネット本体２に取り付け用ロープ体（図示せず）を縫い付け、該取り付け用ロープを介してネット付設体５を取り付ける。【００７２】前記ネット付設体５は複数本の棒状体６で形成され、隣合う棒状体６は紐状の架渡具７で連結されているために、前記ネット体４の吊り張り時の天井面に応じてその長さを自在に調整し、適切な吊り張りを可能とする。【００７３】前記ネット付設体５は、前記のように平行に設けることに限定されるものでなく、交差して設けることも可能である。即ち、ネット体４の各対向する端辺側にそれぞれ複数本のネット付設体５を取り付けることで、交差状態でネット付設体５を取り付ける。【００７４】又は、一方向（平行方向）に取り付けた複数本のネット付設体５のうち所望の棒状体６に横方向の横架渡具７Ａを連結することで、ネット体４に交差状態でネット付設体５を取り付けることも可能である。【００７５】前記ネット付設体５を形成する棒状体６の長さは、天井面の梁間の距離、梁の長さに対応する長さに形成することで、梁間のネット体４の強度を維持することができる。【００７６】また、梁部分が円弧状の場合は、円弧面に沿ってネット体５を吊り張りするために、複数本の矩形状の棒状体６を用いて形成することで、前記棒状体６が梁の円弧面に沿って適切に位置することができ、ネット体４を広げた状態で吊り張りすることができる。【００７７】また、天井面が水平面の場合は、長尺状の棒状体６を用いて形成することで、容易に水平方向を維持してネット体４を吊り張りすることができる。【００７８】前記各棒状体６には、それぞれ取付具８が取り付けられている。実施例では、１本の棒状体６に２個の取付具８が設けられているが、取り付ける個数は、天井面の形状大きさに応じて自在に決定することができる。【００７９】即ち、天井面の面積が広く梁等の連結部が多くある場合は、多くの取付具８を設けることで対応することができる。【００８０】次に、前記取付具８を形成する調整部８Ａは、天井面の形状に応じて対応し、水平状態である場合は、棒状体６の長尺方向に沿って移動可能な調整部８Ａを用い、円弧面である場合は、上下方向に長さ調整可能な調整部８Ａを用いる。【００８１】また、前記ネット体４の各端部側の棒状体６には側面に取り付けるために、左右方向に長さ調整可能な調整部８Ａを有する取付具８を取り付ける。【００８２】尚、前記側面に取り付けるための取付具８は、ネット体４の各端部側の棒状体６にそれぞれ取り付けることで、側面の各面と左右方向の長さ調整して取り付けることも可能である。【００８３】先ず前記ネット体４を天井面に吊り張りする場合は、先ず、ネット付設体５を形成する複数本の棒状体６のうち、各端部側の棒状体６に取り付けられた取付具８の左右方向の調整部８Ａで各側面との距離を調整し、固定部８Ｂを側面に固定する。【００８４】次に、前記ネット体４に取り付けられた他の棒状体６に取り付けられた取付具８の調整部８Ａで天井面との上下方向の距離を調整し、固定部８Ｂを天井面の梁部分に固定する。【００８５】この際、前記梁部分と取付具８に位置を棒状体６の長尺方向に沿って移動することで微調整し、適切な位置で固定することで、適切に吊り張りすることができる。【００８６】この際、前記棒状体６間は屋内空間部の天井面の形状、及びネット体４の荷重等によりその距離を調整して位置し、適切にネット体４を天井面に沿って吊り張りすることができる。【００８７】このように、本願発明の屋内空間部用のネット１は、天井面に沿って容易に取り付けでき、且つその取り付け作業が容易である。【００８８】しかも、ネット体４のメンテナンス作業時には容易にネット体４を取り外して、安全に及び容易に行うことができる。
【図面の簡単な説明】
【００８９】
【図１】本願発明の屋内空間部用のネットを側面に使用する場合の一実施例を示す概略説明正面図
【図２】ネット体とネット付設体との連結の一実施例を示す概略説明側面断面図
【図３】ネット付設体を示す概略説明平面断面図
【図４】屋内空間部用の防球用のネットを水平方向に吊り張りした状態を示す概略説明正面図
【図５】屋内空間部用の防球用のネットを円弧面に沿って吊り張りした状態を示す概略説明正面図
【図６】ネット体とネット付設体との連結の他実施例を示す概略説明側面断面図
【図７】棒状体への取付具の連結を示す概略説明正面図
【図８】棒状体への取付具の連結の他実施例を示す概略説明正面図
【図９】本願発明の屋内空間部用のネットを天井面に使用する場合の一実施例を示す概略説明平面図
【図１０】ネット付設体を用いた天井面への取り付けを示す概略説明側面図
【図１１】本願発明の屋内空間部用のネットの吊り張り方法のフローチャート
【図１２】本願発明の屋内空間部用のネットの吊り張り方法のフローチャート
【図１３】本願発明の屋内空間部用のネットの吊り張り方法のフローチャート
【図１４】本願発明の屋内空間部用のネットの吊り張り方法のフローチャート
【符号の説明】
【００９０】１−屋内空間部用のネット、４−ネット体、５−ネット付設体、６−棒状体、７−架渡具
【図１】
2019058646.tif 000003
【図２】
2019058646.tif 000004
【図３】
2019058646.tif 000005
【図４】
2019058646.tif 000006
【図５】
2019058646.tif 000007
【図６】
2019058646.tif 000008
【図７】
2019058646.tif 000009
【図８】
2019058646.tif 000010
【図９】
2019058646.tif 000011
【図１０】
2019058646.tif 000012
【図１１】
2019058646.tif 000013
【図１２】
2019058646.tif 000014
【図１３】
2019058646.tif 000015
【図１４】
2019058646.tif 000016
【手続補正書】
【提出日】平成30年11月28日(2018.11.28)
【手続補正１】
【補正対象書類名】特許請求の範囲
【補正対象項目名】全文
【補正方法】変更
【補正の内容】
【特許請求の範囲】
【請求項１】
屋内空間部の側面に沿って又は天井面に沿って吊り張りされる防球・防護を目的とするネット体と、該ネット体の端辺側又はネット体全面に渡って所望の間隔を有して複数個設けられ、且つ側面又は天井面の梁等への取り付けを行う取付具とから構成されている屋内空間部用のネットにおいて、前記取付具は、天井面又は側面との距離を調整する調整部と、該調整部の端部で天井面又は側面に固定する固定部とで構成され、且つネット体の少なくとも一方の端辺側に沿って、又はネット体の全面に渡って所望の間隔を有して複数個取り付けられたネット付設体を介して設けられ、しかも前記ネット付設体が、少なくとも２以上に分割された長尺状の棒状体と隣り合う棒状体間をそれぞれ連結する紐状の架渡具とから構成されていることを特徴とする屋内空間部用のネット。
【請求項２】
前記取付具の前記棒状体への取り付けが、前記調整部を介して上下方向又は左右方向へ調整可能に構成されていることを特徴とする請求項１に記載の屋内空間部用のネット。
【請求項３】
屋内空間部の側面の形状に応じて又は天井面の形状に応じて、１枚又は複数枚のネット本体でネット体を形成し、該ネット体の一方の端辺側又はネット体の全面に渡って取付具を取り付けた後、該取付具を側面又は天井面の梁等に取り付けることで、ネット体を側面又は天井面に沿って吊り張りする屋内空間部用のネットの吊り張り方法において、前記ネット体の少なくとも一方の端辺側に沿って、又はネット体の全面に渡って所望の間隔を有して前記取付具の設けられたネット付設体を取り付けた後、前記取付具を構成し天井面又は側面との距離、及びネット付設体への取り付け位置を左右方向、上下方向の長さで調整しながら側面又は天井面に渡って取り付けることで、側面に沿って、又は天井面に渡ってネット体を吊り張りすることを特徴とする屋内空間部用のネットの吊り張り方法。
【手続補正２】
【補正対象書類名】明細書
【補正対象項目名】００１１
【補正方法】変更
【補正の内容】
【００１１】本願発明の上記課題を解決する手段としての屋内空間部用のネットは、請求項１に記載のように、屋内空間部の側面に沿って又は天井面に沿って、吊り張りされる防球・防護を目的とするネット体と、該ネット体の一方の端辺側、又はネット体側面に渡って所望の間隔を有して複数個設けられ、且つ側面又は天井面の梁等への取り付けを行う取付具とから構成されている屋内空間部用のネットにおいて、前記取付具は、天井面又は側面との距離を調整する調整部と、該調整部の端部で天井面又は側面に固定する固定部とから構成され、且つネット体の少なくとも一方の端辺側に沿って、又はネット体の全面に渡って所望の間隔を有して複数個取り付けられたネット付設体を介して設けられ、しかも該ネット付設体が、少なくとも２以上に分割された長尺状の棒状体と、隣り合う棒状体間をそれぞれ連結する紐状の架渡具とから構成されていることを特徴とする。
【手続補正３】
【補正対象書類名】明細書
【補正対象項目名】００１２
【補正方法】変更
【補正の内容】
【００１２】また、本願発明の上記課題を解決する手段としての屋内空間部用のネットは、請求項２に記載のように、請求項１において、前記取付具の棒状体への取り付けが、前記調整部を介して上下方向又は左右方向へ調整可能に構成されていることである。
【手続補正４】
【補正対象書類名】明細書
【補正対象項目名】００１３
【補正方法】変更
【補正の内容】
【００１３】さらに、本願発明の上記課題を解決する手段としての屋内空間部用のネットの吊り張り方法は、請求項３に記載のように、屋内空間部の側面の形状に応じて又は天井面の形状に応じて、１枚又は複数枚のネット本体でネット体を形成し、該ネット体の一方の端辺側又はネット体の全面に渡って取付具を取り付けた後、該取付具を側面又は天井面の梁等に取り付けることで、ネット体を側面又は天井面に沿って吊り張りする屋内空間部用のネットの吊り張り方法において、前記ネット体の一方の端辺側に沿って、又はネット体の全面に沿って所望の間隔を有して前記取付具が取り付けられたネット付設体を取り付けた後、前記取付具を構成し天井面又は側面との距離、及びネット付設体への取り付け位置を左右方向、上下方向の長さで調整しながら側面又は天井面に渡ってネット体を吊り張りすることを特徴とする。
【手続補正５】
【補正対象書類名】明細書
【補正対象項目名】００２１
【補正方法】変更
【補正の内容】
【００２１】その後、前記ネット付設体を介して取り付けられた取付具を構成する調整部で長さ調整し該調整部の端部に設けられた固定部を側面上端側に取り付けることで側面に沿ってネット体を適切に吊り張りし、又は前記取付具を構成する調整部で長さ調整し該調整部の端部に設けられた固定部を天井面の梁に沿って取り付けることで、天井面に沿ってネット体を適正に吊り張りすることができる。
【手続補正６】
【補正対象書類名】明細書
【補正対象項目名】００２４
【補正方法】変更
【補正の内容】
【００２４】次に、請求項２に記載の屋内空間部用のネットは、上記請求項１の構成にさらに、前記ネット付設体への取付具を構成する調整部の取り付けが、上下方向、左右方向に調整できるので、側面、又は天井面との左右方向、上下方向を自在に調整し、側面の形状に応じて、又は天井面の形状に応じて適切にネット体を吊り張りすることができる。
【手続補正７】
【補正対象書類名】明細書
【補正対象項目名】００３１
【補正方法】変更
【補正の内容】
【００３１】最終工程（ネット体の吊り張り工程）は、別体の移動用ロープ（天井面側の滑車を介して、ウインチで駆動）を前記ネット付設体に連結した後、前記移動用ロープを上方側に移動し、前記ネット付設体に取り付けられた取付具を構成する調整部の端部に設けられた固定部を側面又は天井面の梁に沿って取り付ける。
【手続補正８】
【補正対象書類名】明細書
【補正対象項目名】００３２
【補正方法】変更
【補正の内容】
【００３２】この際、前記取付具を構成する調整部をネット付設体に沿って左右方向に調整しながら、且つ天井面との上下方向を調整することで、最適にネット体を吊り張りすることができる。